(57)【要約】      （修正有）【課題】携帯性に優れた携帯端末用スタンドを提供する。【解決手段】携帯端末用スタンドは、樹脂基材に切り欠き１３および貫通孔１１が形成された本体部１０と、貫通孔に挿通された連結部３０と、連結部を介して本体部に連結されたリング状の取り付け部２０とを備える。切り欠きに携帯端末の端部を差し込むことで携帯端末を立てかけることができる。また取り付け部をキーホルダーに取り付けることで手軽に持ち運ぶことができる。【選択図】図１
0003228342.tif 000002
【実用新案登録請求の範囲】
【請求項１】
樹脂基材に切り欠きおよび貫通孔が形成された本体部と、
前記貫通孔に挿通された連結部と、
前記連結部を介して前記本体部に連結されたリング状の取り付け部と
を備えた
携帯端末用スタンド。
【請求項２】
前記切り欠きは、携帯端末の端部の厚さに応じた幅を有する
請求項１に記載の携帯端末用スタンド。
【請求項３】
前記切り欠きは、内壁に段差部を有する
請求項２に記載の携帯端末用スタンド。
【請求項４】
前記樹脂基材は、アクリル基材であり、
前記樹脂基材の片面だけに印刷層が形成されている
請求項１から請求項３のいずれか一項に記載の携帯端末用スタンド。
【請求項５】
前記樹脂基材は、アクリル基材であり、
前記樹脂基材の両面に印刷層が形成されている
請求項１から請求項３のいずれか一項に記載の携帯端末用スタンド。
【考案の詳細な説明】
【技術分野】
【０００１】  本考案は、携帯端末用スタンドに関する。
【背景技術】
【０００２】  データ通信の進展に伴い、携帯端末で動画を視聴する機会が増えている。携帯端末で動画を視聴する際、ユーザは、動画を視認しやすくするために、携帯端末を自分の手に持ったり、携帯端末用スタンドに立てかけたりする。
【考案の概要】
【考案が解決しようとする課題】
【０００３】  ところで、携帯端末用スタンドのサイズが大きい場合、携帯性に欠けるという問題がある。従って、本考案は、かかる問題点に鑑みてなされたもので、その目的は、携帯性に優れた携帯端末用スタンドを提供することにある。
【課題を解決するための手段】
【０００４】  本考案の一実施の形態に係る携帯端末用スタンドは、樹脂基材に切り欠きおよび貫通孔が形成された本体部と、貫通孔に挿通された連結部と、連結部を介して本体部に連結されたリング状の取り付け部とを備えている。
【考案の効果】
【０００５】  本考案の一実施の形態に係る携帯端末用スタンドでは、樹脂基材で形成された本体部に切り欠きを設けたので、この切り欠きに、携帯端末の端部を差し込むことにより、携帯端末を携帯端末用スタンドに立てかけることができる。これにより、例えば、背もたれに携帯端末を立てかけるようにした携帯端末用スタンドと比べて、携帯端末用スタンドを小型化することができ、携帯性を高めることができる。また、本考案の一実施の形態に係る携帯端末用スタンドでは、樹脂基材で形成された本体部に貫通孔を設け、この貫通孔に挿通した連結部を介して、リング状の取り付け部を本体部に連結したので、例えば、取り付け部をキーホルダーなどに取り付けることにより、携帯端末用スタンドを手軽に持ち運ぶことができる。従って、携帯性に優れた携帯端末用スタンドを提供することができる。
【図面の簡単な説明】
【０００６】
【図１】本考案の一実施形態の携帯端末用スタンドの斜視構成の一例を表す図である。
【図２】図１の携帯端末用スタンドに携帯端末を立てかけた様子を表す図である。
【図３】図１の携帯端末用スタンドの斜視構成の一変形例を表す図である。
【考案を実施するための形態】
【０００７】  以下、本考案を実施するための形態について、図面を参照して詳細に説明する。以下の説明は本考案の一具体例であって、本考案は以下の態様に限定されるものではない。また、本考案は、各図に示す各構成要素の配置や寸法、寸法比などについても、それらに限定されるものではない。
【０００８】［構成］
本考案の一実施の形態に係る携帯端末用スタンド１００の構成について説明する。図１は、携帯端末用スタンド１００の斜視構成の一例を表したものである。図２は、図１の携帯端末用スタンド１００に携帯端末２００を立てかけた様子を表したものである。携帯端末２００は、例えば、動画を表示する表示面２１０を有するスマートフォンである。なお、携帯端末２００は、動画を表示する表示面を有する携帯型の電子機器であればよく、スマートフォンに限定されるものではない。
【０００９】  携帯端末用スタンド１００は、携帯端末２００を立てかけるためのスタンドである。携帯端末用スタンド１００は、例えば、図１に示したように、本体部１０と、取り付け部２０と、連結部３０とを備えている。
【００１０】  連結部３０は、例えば、Ｃ環と呼ばれる金属製の部材である。取り付け部２０は、例えば、キーホルダーに取り付けるためのリング状部材である。取り付け部２０は、例えば、ワイヤリングと、ワイヤリングの両端部を着脱可能に留めることの可能な留め具とにより構成されている。取り付け部２０は、連結部３０を介して本体部１０に連結されている。例えば、連結部３０のＣ環に、取り付け部２０のワイヤリングが挿通されている。なお、連結部３０において、ワイヤリングの代わりに、キーリングや紐が設けられていてもよい。
【００１１】  本体部１０は、例えば、方形状の樹脂基材で構成されている。本体部１０を構成する樹脂基材は、例えば、アクリル基材、ＰＰ（ポリプロピレン）基材、透明ＡＢＳ（アクリルニトリル  ブタジエン  スチレン）基材またはＰＣ（ポリカーボネート）基材である。アクリル基材は、光透過性に優れており、かつ、傷などに強い特徴を有している。なお、本体部１０を構成する樹脂基材は、上述のような透明基材とは異なる樹脂基材（例えば、半透明もしくは不透明な樹脂基材）であってもよい。
【００１２】  本体部１０を構成する樹脂基材には、樹脂板を厚さ方向に貫通する貫通孔１１が形成されている。本体部１０が方形状の樹脂基材で構成されている場合に、貫通孔１１は、例えば、本体部１０を構成する方形状の樹脂基材の四隅のうちの一か所に形成されている。貫通孔１１には、例えば、連結部３０のＣ環が挿通されている。本体部１０を構成する樹脂基材の端縁には、切り欠き１３が形成されている。切り欠き１３は、携帯端末２００の端部の厚さに応じた幅を有している。切り欠き１３は、例えば、樹脂基材の端面から、この端面に対して直交するか、または、斜めに交差する方向に延在しており、さらに、樹脂基材を厚さ方向に貫通している。切り欠き１３は、例えば、図１に示したように、コの字状の形状となっている。
【００１３】  例えば、図２に示したように、切り欠き１３に携帯端末２００の端部を差し込むことにより、携帯端末２００を携帯端末用スタンド１００に立てかけることができる。このとき、切り欠き１３は、携帯端末２００の端部を厚さ方向から挟み込むことにより、携帯端末２００を支持する。その結果、携帯端末２００の表示面２１０が、携帯端末２００が置かれた面に対して斜めになり、表示面２１０に表示された動画をユーザが視認しやすい角度で固定される。
【００１４】  なお、切り欠き１３は、例えば、図３に示したように、内壁に段差部を有していてもよい。これにより、切り欠き１３には、幅Ｗ１の箇所と、幅Ｗ１よりも幅広の幅Ｗ２の箇所とが存在することになる。その結果、例えば、幅Ｗ１よりも厚く、かつ、幅Ｗ２とほぼ同じ厚さか、もしくは幅Ｗ２よりも若干薄い携帯端末２００については、切り欠き１３のうち、幅Ｗ２の箇所に携帯端末２００を挟み込むことにより、携帯端末２００を携帯端末用スタンド１００に立てかけることができる。また、例えば、幅Ｗ１とほぼ同じ厚さか、もしくは幅Ｗ１よりも若干薄い携帯端末２００については、切り欠き１３のうち、幅Ｗ１の箇所に携帯端末２００を挟み込むことにより、携帯端末２００を携帯端末用スタンド１００に立てかけることができる。
【００１５】  本体部１０を構成する樹脂基材の表面には、印刷（印刷層１２）が施されている。印刷層１２は、例えば、図１，図３に示したように、本体部１０を構成する樹脂基材の片面だけに形成されている。本体部１０を構成する樹脂基材が、上述したような透明基材である場合、樹脂基材の片面だけに形成された印刷層１２は、樹脂基材を介して透けて見える。なお、印刷層１２は、本体部１０を構成する樹脂基材の両面に形成されていてもよい。
【００１６】［効果］
次に、本実施の形態に係る携帯端末用スタンド１００の効果について説明する。
【００１７】  データ通信の進展に伴い、携帯端末で動画を視聴する機会が増えている。携帯端末で動画を視聴する際、ユーザは、動画を視認しやすくするために、携帯端末を自分の手に持ったり、携帯端末用スタンドに立てかけたりする。ところで、携帯端末用スタンドのサイズが大きい場合、携帯性に欠けるという問題がある。
【００１８】  一方、本実施の形態では、樹脂基材で形成された本体部１０に切り欠き１３を設けたので、この切り欠き１３に、携帯端末２００の端部を差し込むことにより、携帯端末２００を携帯端末用スタンド１００に立てかけることができる。これにより、例えば、背もたれに携帯端末を立てかけるようにした携帯端末用スタンドと比べて、携帯端末用スタンド１００を小型化することができ、携帯性を高めることができる。また、本実施の形態では、樹脂基材で形成された本体部１０に貫通孔１１を設け、この貫通孔１１に挿通した連結部３０を介して、リング状の取り付け部２０を本体部１０に連結したので、例えば、取り付け部２０をキーホルダーなどに取り付けることにより、携帯端末用スタンド１００を手軽に持ち運ぶことができる。従って、携帯性に優れた携帯端末用スタンド１００を提供することができる。
【００１９】  また、本実施の形態では、切り欠き１３は、携帯端末２００の端部の厚さに応じた幅を有している。これにより、切り欠き１３に、携帯端末２００の端部を差し込むことにより、携帯端末２００を携帯端末用スタンド１００に立てかけることができる。これにより、例えば、背もたれに携帯端末を立てかけるようにした携帯端末用スタンドと比べて、携帯端末用スタンド１００を小型化することができ、携帯性を高めることができる。
【００２０】  また、本実施の形態において、切り欠き１３に段差部を設けた場合には、携帯端末２００の厚さに応じて切り欠き１３に浅く差し込んだり、深く差し込んだりすることにより、様々な厚さの携帯端末２００を携帯端末用スタンド１００に立てかけることができる。例えば、携帯端末２００にカバーを付けた場合には、携帯端末２００にカバーを付けていない場合と比べると、携帯端末２００がカバーの分だけ厚くなる。しかし、切り欠き１３に段差部を設けた場合には、携帯端末２００にカバーを付けたままでも、携帯端末２００を切り欠き１３に浅く差し込むことにより、携帯端末２００を携帯端末用スタンド１００に立てかけることができる。
【００２１】  また、本実施の形態において、本体部１０がアクリル基材で構成されている場合には、本体部１０の光透過性が非常に優れており、しかも、本体部１０自体にも傷が付き難い。これにより、本体部１０を構成するアクリル基材の片面だけに印刷層１２を形成した場合に、ユーザは、アクリル基材を介して印刷層１２を視認することができる。従って、本体部１０を構成するアクリル基材の両面に印刷をしなくても、デザイン性の高い携帯端末用スタンド１００を提供することができる。なお、印刷層１２が、本体部１０を構成する樹脂基材の両面に形成されている場合には、例えば、樹脂基材の一方の面の印刷層１２と、樹脂基材の他方の面の印刷層１２とで、デザインを異ならせるなどすることにより、デザイン性の高い携帯端末用スタンド１００を提供することができる。
【符号の説明】
【００２２】  １０…本体部、１１…貫通孔、１２…印刷層、１３…切り欠き、２０…取り付け部、３０…連結部、１００…携帯端末用スタンド、２００…携帯端末、２１０…表示面、Ｗ１，Ｗ２…幅。
【図１】
0003228342.tif 000003
【図２】
0003228342.tif 000004
【図３】
0003228342.tif 000005